(57)【要約】【課題】商品として展示、保管する場合にもスペース効率のよい、変質、劣化がしにくく長寿命で強度的にも見栄えも優れた簡易花壇柵を提供する。【解決手段】花壇周辺に設置する簡易花壇柵であって、長板を縦にした両側に連結孔２が設けられた複数の柵材１と被覆線材３とを有し、連結孔２に被覆線材３を通して複数の柵材１を柵状に連結して構成する。被覆線材３は、各柵材１の両側の連結孔２間で裏面を通して柵材１間で表面を通す第１の線材部ａ、ｂと、柵材１間で第１の線材部ａ、ｂに巻回して各柵材１の裏面を通す第２の線材部ｃ、ｄとを有し、各柵材１は、両側の上下に連結孔２が設けられ、第２の線材部ｃ、ｄは、各柵材１の裏面で第１の線材部ａ、ｂと柵材１との間を上下たすき掛けして通す。【選択図】      図１
2004215610.tif 000002
【特許請求の範囲】
【請求項１】
花壇周辺に設置する簡易花壇柵であって、長板を縦にした両側に連結孔が設けられた複数の柵材と被覆線材とを有し、前記連結孔に前記被覆線材を通して前記複数の柵材を柵状に連結して構成したことを特徴とする簡易花壇柵。
【請求項２】
前記被覆線材は、前記各柵材の両側の連結孔間で裏面を通して柵材間で表面を通す第１の線材部と、前記柵材間で第１の線材部に巻回して前記各柵材の裏面を通す第２の線材部とを有することを特徴とする請求項１記載の簡易花壇柵。
【請求項３】
前記各柵材は、前記両側の上下に連結孔が設けられ、前記第２の線材部は、前記各柵材の裏面で前記第１の線材部と前記柵材との間を上下たすき掛けして通すことを特徴とする請求項２記載の簡易花壇柵。
【請求項４】
前記柵材は、薄く長板状にスライスした石材であることを特徴とする請求項１記載の簡易花壇柵。
【請求項５】
前記被覆線材は、塩化ビニルで被覆した金属線であることを特徴とする請求項１記載の簡易花壇柵。
【請求項６】
花壇周辺に設置する簡易花壇柵であって、板状の石材を柵材として該柵材の幅方向両側に連結孔を設け、前記複数の柵材を被覆線材により前記連結孔を通して柵状に連結して構成したことを特徴とする簡易花壇柵。
【発明の詳細な説明】
【０００１】
【発明の属する技術分野】
本発明は、花壇周辺に設置する簡易花壇柵に関する。
【０００２】
【従来の技術】
花壇の囲いなど花壇周辺に設置する花壇柵として、横板と縦板とを組み合わせて固定するものが提案されている（例えば、特許文献１参照）。この従来の花壇柵は、縦板と横板とを組み合わせ固定する方法として、縦板と横板を重ね合わせて、その重ね合わせ部分をクギにより固定したり、さらに縦板又は横板のいずれかに他方を受け入れるための受入溝を設けて固定するものである。
【０００３】
【特許文献１】
登録実用新案第３０５４０６３号公報
【０００４】
【発明が解決しようとする課題】
しかし、上記従来の花壇柵では、縦板と横板を重ね合わせて、その重ね合わせ部分をクギにより固定したり、さらに受入溝を設けて固定するため、種々の問題を有している。まず、折り曲げできない、例えば商品として展示、保管する場合に長尺となりスペース効率が悪い。また、縦板、横板を木製や合成樹脂製にしなければならないため、風雨や夏冬の温度変化の大きい環境に曝されると、変質や劣化がはやくガタが生じやすい、受入溝を設けてガタを生じにくくしても、嵌め込み組み合わせ固定するために、製作にも受入溝にそれなりの精度が要求され、手間かかる、などの問題を有している。
【０００５】
【課題を解決するための手段】
本発明は、上記課題を解決するものであって、商品として展示、保管する場合にもスペース効率のよい簡易花壇柵を提供するものである。さらに、本発明は、変質、劣化がしにくく長寿命で強度的にも見栄えも優れた簡易花壇柵を提供するものである。
【０００６】
そのために本発明は、花壇周辺に設置する簡易花壇柵であって、長板を縦にした両側に連結孔が設けられた複数の柵材と被覆線材とを有し、前記連結孔に前記被覆線材を通して前記複数の柵材を柵状に連結して構成したことを特徴とするものである。
【０００７】
さらに、前記被覆線材は、前記各柵材の両側の連結孔間で裏面を通して柵材間で表面を通す第１の線材部と、前記柵材間で第１の線材部に巻回して前記各柵材の裏面を通す第２の線材部とを有し、また、前記各柵材は、前記両側の上下に連結孔が設けられ、前記第２の線材部は、前記各柵材の裏面で前記第１の線材部と前記柵材との間を上下たすき掛けして通すことを特徴とし、前記柵材は、薄く長板状にスライスした石材であり、前記被覆線材は、塩化ビニルで被覆した金属線であることを特徴とするものである。
【０００８】
また、花壇周辺に設置する簡易花壇柵であって、板状の石材を柵材として該柵材の幅方向両側に連結孔を設け、前記複数の柵材を被覆線材により前記連結孔を通して柵状に連結して構成したことを特徴とするものである。
【０００９】
【発明の実施の形態】
以下、本発明の実施の形態を図面を参照しつつ説明する。図１は本発明に係る簡易花壇柵の実施の形態を示す図であり、１は柵材、２は連結孔、３は被覆線材、ａ、ｂは第１の線材部、ｃ、ｄは第２の線材部を示す。
【００１０】
図１において、柵材１は、長板を縦にしたものであり、図１（Ａ）は裏面、図１（Ｂ）は下面、図１（Ｂ）の上側が裏面、下側が表面をそれぞれ示し、例えば薄く長板状にスライスした石材が用いられる。このような石材の加工は、ダイヤモンドカッタや砥石などを使った１０〜２０ｍｍ厚程度の外壁や地面の貼石、乱形貼石などの在来の加工技術を使うことにより簡単に行うことができ、花崗岩、砂岩などの加工しやすい石材が用いられる。連結孔２は、柵材１を相互に連結するために柵材１の両側に設けられたものであり、被覆線材３は、この連結孔２に通して複数の柵材１を柵状に連結する、例えば塩化ビニルで被覆した金属線である。
【００１１】
次に、被覆線材３による柵材１の連結方法の例を説明する。まず、被覆線材３は、各柵材１の両側の連結孔２間で裏面を通して柵材１間で表面を通す第１の線材部ａ、ｂと、柵材１間で第１の線材部ａ、ｂに巻回して各柵材１の裏面を通す第２の線材部ｃ、ｄにより構成される。そして、図１（Ａ）の左端に示すように第１の線材部ａと第２の線材部ｃは、端部の柵材１から折り返して連続する線材で構成してもよいし、折り返すことなく、別の線材で構成してもよい。
【００１２】
また、第２の線材部ｃ、ｄは、図示のように各柵材１の裏面で第１の線材部ａ、ｂと柵材１との間を上下たすき掛けして通すが、上の連結孔２間で連結する第１の線材部ａに対応して、第２の線材部ｃは、上で柵材１の両側の連結孔２間で裏面を通して柵材１間で第１の線材部ａに巻回し、下の連結孔２間で連結する第１の線材部ｂに対応して、第２の線材部ｄは、上で柵材１の両側の連結孔２間で裏面を通して柵材１間で第１の線材部ｂに巻回するようにしてもよい。
【００１３】
図２は棚材の形状の各種変形例を説明するための図、図３は本実施形態の第１の線材部、第２の線材部と被覆線材の関係の他の例及び他の実施の形態を示す図、図４は本実施形態の簡易花壇柵の設置例を説明するための図である。
【００１４】
棚材１の形状は、図１に示すように上端部を丸く加工したが、図２（Ａ）に示すように多角形に加工してもよいし、図２（Ｂ）に示すように三角の山形、その他の形状にしてもよい。下端部においても、図２（Ｃ）に示すように同様に様々な形状の加工を採用可能であり、さらにこれらを混合して連結し、また、長さを変えた棚材を組み合わせ連結してもよい。
【００１５】
図１に示した上記実施の形態では、１本の被覆線材を各柵材で第１の線材部、他の被覆線材を各柵材で第２の線材部となるようにしたが、図３（Ａ）に示すように、ある柵材１１では第１の線材部ａ１となった１本の被覆線材３が、隣の棚材１２では第２の線材部ｃ２となるようにしてもよい。また、第２の線材部ｃ１、ｃ２を上下にたすき掛けにせず、上と下に分けて通すようにしてもよいし、第２の線材部ｃ１、ｃ２を省いて連結する構成であってもよい。
【００１６】
さらに、被覆線材により柵材を連結するより簡便な態様としては、図３（Ｂ）に示すように両側の連結孔２のうち、右側の連結孔２Ｒを通す被覆線材３Ｒ、左側の連結孔２Ｌを通す被覆線材３Ｌにより構成してもよい。このような連結の態様や、上記のように被覆線材の第２の線材部を上下にたすき掛けしない連結の態様、第２の線材部を省いて連結する態様では、両側の連結孔２をそれぞれ上下に設けてもよいが、連結孔２を上下にではなく両側に１つずつ設けて連結するように構成してもよい。
【００１７】
上記のように本実施形態では、花壇周辺に設置する簡易花壇柵として、板状の石材を柵材１、１１、１２として該柵材の幅方向両側に連結孔２、２Ｒ、２Ｌを設け、複数の柵材１、１１、１２を被覆線材３、３Ｒ、３Ｌにより連結孔２、２Ｒ、２Ｌを通して柵状に連結して構成している。
【００１８】
本実施形態の簡易花壇柵を設置する場合には、図４に示すように花壇柵を設置する端部やコーナーに杭４１、４２を打ち、端部ではその杭４１に被覆線材３を結び付け、また、コーナーではその杭４２で棚材１の連結部が曲がるようにすることにより、矩形や多角形の花壇柵を設置することができる。また、柵材の下端部を地面に埋設しあるいは溝を設けて固定すれば、上記のように両側の上だけにそれぞれ１つの連結孔を設けて連結して構成した花壇柵であっても、ずれることなく直線上に柵材を並べることは容易である。
【００１９】
さらに、本発明は、上記実施の形態に限定されるものではなく、種々の変形が可能である。例えば上記実施の形態は、長板を縦にした柵材として石材を用いたが、合成樹脂や木材、竹材その他の材質のものを用いてもよい。
【００２０】
【発明の効果】
以上の説明から明らかなように、本発明によれば、被覆線材で連結した棚材を折り返して重ね合わせることができるので、商品として展示、保管する場合にも棚材と連結部を合わせた幅で積み上げ、並べることができ、縦板と横板を組み合わせて固定する従来の花壇柵に比べてスペース効率のよい展示、保管が可能になる。また、被覆線材を切断することにより、柵の長さを自在に設定することができるので、実際の花壇柵の設置に際しても自由度を高めることができる。さらには、柵材として石材を用い、被覆線材で連結することにより、変質、劣化、腐食にも強く、長寿命で強度的にも見栄えも優れた簡易花壇柵を提供することができる。
【図面の簡単な説明】
【図１】本発明に係る簡易花壇柵の実施の形態を示す図である。
【図２】棚材の形状の各種変形例を説明するための図である。
【図３】本実施形態の第１の線材部、第２の線材部と被覆線材の関係の他の例及び他の実施の形態を示す図である。
【図４】本実施形態の簡易花壇柵の設置例を説明するための図である。
【符号の説明】
１…柵材、２…連結孔、３…被覆線材、ａ、ｂ…第１の線材部、ｃ、ｄ…第２の線材部
【図１】
2004215610.tif 000003
【図２】
2004215610.tif 000004
【図３】
2004215610.tif 000005
【図４】
2004215610.tif 000006